(57)【要約】【課題】紙葉類の取り扱いを良好なものとしつつ且つ紙葉類を確実に保護し得る書類ホルダを提供する。【解決手段】本発明に係る書類ホルダ１は、書類ホルダ１は、接離可能な裏側シート２並びに表側シート３が接離可能な二辺が連続する隅部近傍における裏側シート２に取り付けられ裏側シート２との間に表側シート３の隅部を差込み保持し得るシート状をなすストッパ本体５１及びこのストッパ本体５１における表側シート３の隅部が差し込まれる差込側の縁部５ａを裏側シート２から離間させるべく差込側の縁部５ａ近傍に形成された拡開部５３を有するストッパ５とを具備する。【選択図】図６
2018001596.tif 000002
【特許請求の範囲】
【請求項１】
紙葉類を背面側から支持する裏側シートと、
この裏側シートに対し連続する二辺を接離可能に構成し他の辺同士が接続されることにより前記裏側シートとの間に紙葉類を挿抜可能に挟持し得るように配された表側シートと、
前記裏側シート並びに表側シートが接離可能な裏側シート並びに表側シートが接離可能な二辺が連続する隅部近傍における前記裏側シートに取り付けられ前記裏側シートとの間に前記表側シートの隅部を差込み保持し得るシート状をなすストッパ本体及びこのストッパ本体における前記表側シートの隅部が差し込まれる差込側の縁部を前記裏側シートから離間させるべく前記差込側の縁部近傍に形成された拡開部を有するストッパと
を具備することを特徴とする書類ホルダ。
【請求項２】
前記拡開部が、前記ストッパ本体に形成された正面視における谷折り線である請求項１記載の書類ホルダ。
【請求項３】
前記谷折り線の縁部が、前記ストッパ本体における前記裏側シートに対する取付位置から離間した位置に位置付けられている請求項２記載の書類ホルダ。
【請求項４】
正面視矩形状をなすものであり、
前記裏側シート及び前記表側シートが接離可能な二辺が連続する隅部の角である第一角部分において前記ストッパ及び前記裏側シートを離間させて設けた第一角開放部と、
前記第一角部分に対向する角である第二角部分において前記表側シート及び前記裏側シートを離間させて設けた第二角開放部と
を有している請求項１〜３の何れかに記載の書類ホルダ。
【請求項５】
前記裏側シート及び前記表側シートが接続された何れか一辺が、他のシートとともに綴じられるための綴じ基側の縁部を構成している請求項１〜４の何れかに記載の書類ホルダ。
【請求項６】
前記綴じ基側の縁部が、表表紙及び裏表紙を有する表紙体に取り付けられるための被取付部を有したものである請求項５記載の書類ホルダ。
【請求項７】
前記綴じ基側の縁部が、所定間隔を隔てて穿たれた紙葉類を綴じるための複数の綴じ穴を有するものである請求項５記載の書類ホルダ。
【請求項８】
前記表側シート及び前記裏側シートが、透明な樹脂性のシート素材からなるものである請求項１〜６の何れかに記載の書類ホルダ。
【請求項９】
請求項１〜８の何れかに記載の書類ホルダと、
表表紙、裏表紙及びこれら表表紙及び裏表紙間に前記書類ホルダを綴じる綴じ部を有する表紙体と
を具備することを特徴とするファイル。
【発明の詳細な説明】
【技術分野】
【０００１】
この発明は、紙葉類を収容、保管することができる書類ホルダ及び当該書類ホルダを具備してなるファイルに関する。
【背景技術】
【０００２】
従来、主に合成樹脂製シートといったシート状の素材により構成され、表表紙と裏表紙との間に紙葉類を収容可能に構成された書類ホルダが周知である。斯かる書類ホルダに該当するものとしては、外方から紙葉類に記載された内容を視認し得る透明の合成樹脂製シートからなる、所謂ポケット或いはクリヤーホルダと称される書類ホルダ、及び表紙体に当該書類ホルダを閉じてなるファイルを挙げることができる（例えば、特許文献１参照）。
【０００３】
そして特許文献１に記載されているような連続した二辺が開放或いは略開放している書類ホルダは紙葉類の出し入れが容易である反面、収容している紙葉類が不意に外方に脱落してしまうといったことも生じ得る。
【０００４】
そして同文献に記載の書類ホルダでは特に図４に示すように、表裏何れか一方のシート体を開放した二辺の何れかの箇所から他方よりも突出させた突出部を設け当該他方側へ折り返すことにより当該箇所からの紙葉類の抜脱を防止し得るようにしている。
【先行技術文献】
【特許文献】
【０００５】
【特許文献１】特開２００９−２９１００号公報
【発明の概要】
【発明が解決しようとする課題】
【０００６】
しかしながら、特許文献１記載の書類ホルダでは、依然として開放されている一辺から抜脱することも、突出部の折れ曲がりが延びてしまうということも考えられる。ここで、紙葉類の抜脱をより有効に抑止するためには同文献の図４に開示された突出部を複数設けたり折れ曲がりが延び難い構成、形状としたりすることも考えられる。そうなると、書類ホルダへの紙葉類の出し入れの作業がいきおい煩雑なものとなってしまう。
【０００７】
すなわち現状では、紙葉類の抜脱を有効に抑止できるようにしつつ、紙葉類の抜脱を抑止し得る状態と紙葉類を出し入れし易い状態とを容易な操作により実現できる書類ホルダが求められている。
【０００８】
本発明は、上述した点に着目してなされたものであり、紙葉類の取り扱いを良好なものとしつつ且つ紙葉類を確実に保護し得る書類ホルダを提供する。
【課題を解決するための手段】
【０００９】
すなわち、本発明に係る書類ホルダは、紙葉類を背面側から支持する裏側シートと、この裏側シートに対し連続する二辺を接離可能に構成し他の辺同士が接続されることにより前記裏側シートとの間に紙葉類を挿抜可能に挟持し得るように配された表側シートと、前記裏側シート並びに表側シートが接離可能な二辺が連続する隅部近傍における前記裏側シートに取り付けられ前記裏側シートとの間に前記表側シートの隅部を差込み保持し得るシート状をなすストッパ本体及びこのストッパ本体における前記表側シートの隅部が差し込まれる差込側の縁部を前記裏側シートから離間させるべく前記差込側の縁部近傍に形成された拡開部を有するストッパとを具備することを特徴とする。
【００１０】
このようなものであれば、ストッパが裏側シート及び表側シートにおける開放二辺に亘って設けられているためにストッパと裏表紙との間に差し込まれた紙葉類の抜脱を有効に防ぎ得るのみならずストッパに設けられた拡開部により裏表紙とストッパ本体との間に表側シート及び紙葉類を容易に差し込むことができる。その結果本発明によれば、紙葉類の取り扱いを良好なものとしつつ且つ紙葉類を確実に保護し得る書類ホルダを提供することができる。
【００１１】
より簡素な構成でストッパを実現するためには、拡開部を、ストッパ本体に形成された正面視における谷折り線とすることが望ましい。
【００１２】
谷折り線によるストッパ本体の変形をより有効に促し得るようにするためには、谷折り線の縁部を、ストッパ本体における裏側シートに対する取付位置から離間した位置に位置付けることが好ましい。
【００１３】
書類ホルダが正面視矩形状をなすものであり、所定形状をなす紙葉類をより多く且つスムーズに収容できるようにするためには、裏側シート及び表側シートが接離可能な二辺が連続する隅部の角である第一角部分において前記ストッパ及び前記裏側シートを離間させて設けた第一角開放部と、第一角部分に対向する角である第二角部分において前記表側シート及び前記裏側シートを離間させて設けた第二角開放部とを設けることが望ましい。これにより、矩形状をなす紙葉類の角部分が書類ホルダ内で不要に突っ張ってしまうことが回避されるため、より多くの紙葉類をスムーズに収容することができる。
【００１４】
そして、よりスムーズに表側シートや紙葉類のストッパへの差し込みを行い得るようにするためには、裏側シート及び表側シートが接続された何れか一辺が、他のシートとともに綴じられるための綴じ基側の縁部を構成したものとして、綴じ基側が綴じられることにより安定した状態とすれば良い。
【００１５】
ここで、他のシートとは、同形状をなす他の書類ホルダのみならず、異なる機能を有する別種類の書類ホルダやファイル、或いは紙葉類が含まれる。
【００１６】
そして上述した書類ホルダが紙葉類を好適に収容し得るファイルを実現するためには、綴じ基側の縁部を、表表紙及び裏表紙を有する表紙体に取り付けられるための被取付部を有するものとすることが望ましい。
【００１７】
また併せて、上述した書類ホルダをファイルの一要素としても、書類ホルダ単独としても好適に利用し得るようにするためには、綴じ基側の縁部を、所定間隔を隔てて穿たれた紙葉類を綴じるための複数の綴じ穴を有するものとすることが望ましい。
【００１８】
紙葉類の閲覧性の高いものとするためには、表側シート及び裏側シートを、透明な樹脂性のシート素材からなるものとすることが好ましい。
【００１９】
また本発明に係るファイルは、上述した書類ホルダと、表表紙、裏表紙及びこれら表表紙及び裏表紙間に前記書類ホルダを綴じる綴じ部を有する表紙体とを具備することを特徴とする。
【００２０】
このようなものであれば、綴じ部に綴じられた書類ホルダは綴じ基側で表紙体等と係り合っているため、表紙体と載置している机上等との摩擦、或いは紙葉類を収容したファイル自体の自重により書類ホルダ単体で取り扱うよりも裏側シートが不要に動かずに安定して紙葉類を表側シートと裏側シートとの間に差し入れることが可能となる。そして勿論、裏側シートを安定して載置させた状態で紙葉類や表側シートをストッパ、裏側シート間に差し入れることができる。
【発明の効果】
【００２１】
本発明は、以上説明した構成であるから、紙葉類の取り扱いを良好なものとしつつ且つ紙葉類を確実に保護し得る書類ホルダを提供することができる。
【図面の簡単な説明】
【００２２】
【図１】本発明の一実施形態に係る外観図。
【図２】同実施形態に係る他の外観図。
【図３】同正面図。
【図４】同背面図。
【図５】図実施形態に係る要部の拡大図。
【図６】図５に係る作用説明図。
【図７】同上。
【図８】同実施形態の変形例に係る外観図。
【図９】同正面図。
【図１０】同背面図。
【図１１】同変形例に係る作用説明図。
【発明を実施するための形態】
【００２３】
以下、本発明の一実施形態を、図面を参照して説明する。
【００２４】
本実施形態に係るファイルＦは、表紙体Ｈに複数の書類ホルダ１を例えば樹脂の溶着によって綴じたもので通常、クリヤーブックとも称されるものである。当該ファイルＦは、表紙体Ｈを開成すると綴じられている書類ホルダ１に収容された紙葉類たる書類Ｐの記載内容が外方から透明な樹脂性シートを介して明確に視認され得るものとなっている。なお当該ファイルＦは表紙体Ｈの表面の一部にラベルを視認可能に収納し得るラベル入れが設けられているが本実施形態では当該ラベル入れの図示並びに説明は省略する。
【００２５】
表紙体Ｈは本実施形態では有色の保形性を有する樹脂板を主体としたものであり、表表紙Ｈ１と、裏表紙Ｈ２と、これら表表紙Ｈ１及び裏表紙Ｈ２に介在し適宜湾曲し得る変形表紙Ｈ３と、この変形表紙Ｈ３における内側に設けられ書類ホルダ１を取り付けて綴じる綴じ部Ｈ４とを有している。変形表紙Ｈ３は、書類ホルダ１及び当該書類ホルダ１に収容された書類Ｐが重層される厚み寸法に隙間無く応じるべく表表紙Ｈ１及び裏表紙Ｈ２を所要の寸法だけ離間させ得るように、樹脂板を線状に薄肉に形成したヒンジＨ５を複数等間隔に平行させて設けている。これにより表紙体ＨはヒンジＨ５の箇所で適宜湾曲又は屈曲することができ表紙書類ホルダ１及びその収容物の如何によって適宜変わり得る厚みに応じた厚み寸法だけ表表紙Ｈ１と裏表紙Ｈ２とを離間させることができる。その結果当該ファイルＦは表表紙Ｈ１と裏表紙Ｈ２との間に不要な隙間を生じさせることも、収容物が多すぎて綴じ基側で突っかえてしまい綴じ基側に対向する木口側が不要に開いてしまうこともなくコンパクトな収納が実現されている。なお本実施形態における上記作用を奏し得る表紙の態様をしては、全体を、保形性を有さない樹脂素材により構成する態様を挙げることができる。
【００２６】
そしてこのファイルＦには、図２に示すように表紙体Ｈを開くと、収容物が収容されていない状態では同数の書類ホルダ１がそれぞれ表表紙Ｈ１、裏表紙Ｈ２に重層するように綴じ部Ｈ４に複数の書類ホルダ１が溶着によって綴じられている。しかしながらこれら複数の書類ホルダ１は全て、表表紙Ｈ１に近い側には表側シート３が配されている。換言すればこれら複数の書類ホルダ１は透明の樹脂性シートが表表紙Ｈ１側、裏表紙Ｈ２側で対称となるよう折り込まれて綴じられるものの全て同じ向きを向くように構成されている。
【００２７】
ここで、本実施形態に係るファイルＨは、１枚の透明の樹脂性シートの折り曲げ並びに溶着によって例えば二枚或いは四枚といった複数の書類ホルダ１が一体的に成形され更にこれら成形された透明の樹脂性シートが複数重層された状態で表紙体Ｈの綴じ部Ｈ４に溶着されている。しかしながら当該実施形態は複数の書類ホルダ１が一体的に成形される態様に限定しているものではない。よって、以降の説明では個々単体の書類ホルダ１について説明する。
【００２８】
本実施形態に係る書類ホルダ１は、クリヤーホルダとも称されるものであり、図１〜図７に示すように、収容物としての矩形状をなす書類Ｐをその記載内容が外方から容易に視認し得る状態として収容、保管するためのものである。
【００２９】
ここで、本実施形態に係る書類ホルダ１は、書類Ｐを背面側から支持する裏側シート２と、この裏側シート２に対し連続する二辺を接離可能に構成し他の辺同士が接続されることにより裏側シート２との間に書類Ｐを挿抜可能に挟持し得るように配された表側シート３と、接離可能な裏側シート２並びに表側シート３が接離可能な二辺が連続する隅部近傍における裏側シート２に取り付けられ裏側シート２との間に表側シート３の隅部を差込み保持し得るシート状をなすストッパ本体５１及びこのストッパ本体５１における表側シート３の隅部が差し込まれる差込側の縁部５ａを裏側シート２から離間させるべく差込側の縁部５ａ近傍に形成された拡開部５３を有するストッパ５とを具備することを特徴とする。
【００３０】
以下、本実施形態に係る書類ホルダ１の具体的な構成について説明する。
【００３１】
書類ホルダ１は、主に可撓性を有する透明に構成されたシート素材を適宜折り曲げ並びに溶着することにより形成された裏側シート２及び表側シート３を主体としたものである。具体的には、当該書類ホルダ１は、裏側シート２及び表側シート３が連続する二辺を開放させるように他の辺を接合させてなる概略矩形状をなすものである。当該裏側シート２及び表側シート３を形成している素材は、本実施形態では例えばポリプロピレンといった樹脂性のシート素材であるが勿論、ポリエチレンやポリエチレンテレフタレートといった他の樹脂素材を用いてもよい。更には裏側シート２を表側シート３とは異なる素材としても良い。
【００３２】
この書類ホルダ１は、連続する二辺を開放し他の二辺を接合させるべく、上端側において裏側シート２及び表側シート３が全域に亘って接離可能に構成される開放上縁１ａと、この開放上縁１ａに対向する端部において樹脂素材を折り返すことによって形成した底縁１ｂと、これら開放上縁１ａ及び底縁１ｂの一側端を帯状に溶着させることにより接合させた綴じ基側の縁部たる溶着側縁１ｃと、この溶着側縁１ｃに対向する端部において裏側シート２及び表側シート３が略全域に亘って接離可能に構成される開放側縁１ｄとを有している。
【００３３】
すなわち本実施形態では裏側シート２及び表側シート３が接続された何れか一辺に相当する上記溶着側縁１ｃが、他のシートすなわち複数の他の書類ホルダ１とともに綴じられるための綴じ基側の縁部を構成している。加えて本実施形態では、上記溶着側縁１ｃが、上述したファイルＦの綴じ部Ｈ４に綴じられるために溶着され得る被取付部１ｆを有している。
【００３４】
加えて本実施形態に係る書類ホルダ１は裏側シート２側において表側シート３及び書類Ｐを挟み得るストッパ５を更に有している。そして当該ストッパ５を設けることにより書類ホルダ１は、裏側シート２及び表側シート３が接離可能な二辺が連続する隅部の角である第一角部分においてストッパ５及び裏側シート２を離間させて設けた第一角開放部１１と、第一角部分に対向する第二角部分において表側シート３及び裏側シート２を離間させて設けた第二角開放部１２とが更に形成されている。当該ストッパ５の具体的な構成については後に説明する。
【００３５】
裏側シート２は、書類Ｐを背面側から支持するべく矩形状をなすものであり、表側シート３に対面する側の面の略全域に書類Ｐすなわち書類Ｐを支持するための書類支持面２１を有している。また本実施形態ではこの裏側シート２は、開放上縁１ａ及び開放側縁１ｄに臨む領域に、上述したストッパ５を取り付けるためのストッパ取付部２２を有している。
【００３６】
表側シート３は、裏側シート２の外形に対応した略矩形状をなすものであり、表面を透明に構成した透明面３０と、開放上縁１ａ及び開放側縁１ｄに臨む領域において樹脂素材を正面視若干凹ませて形成された退避縁３２と、開放上縁１ａにおける溶着側縁１ｃ近傍において概略三角形状に樹脂素材を凹ませて形成した凹部３３とを有している。本実施形態では図２、図３に示すように退避縁３２が形成されることで裏側シート２のストッパ取付部２２及びストッパ５の一部が正面側に露出する。また凹部３３が形成されることで表側シート３における溶着側縁１ｓ近傍の表側シート３の可撓変形が促されるとともに、使用者にとっては裏側シート２と表側シート３とを厚み方向に離間させるべく裏側シート２、表側シート３間に手指が挿入し易くなっている。そして本実施形態では、この表側シート３は、開放上縁１ａ及び開放側縁１ｄといった二辺が連続する箇所すなわち隅部近傍を所定領域３４としている。
【００３７】
ここで、本実施形態では図５〜図７に示すように、書類ホルダ１は上記裏側シート２及び表側シート３に加え、当該裏側シート２並びに表側シート３が接離可能な二辺が連続する隅部近傍における裏側シート２に取り付けられ裏側シート２との間に表側シート３の隅部を差込み保持し得るシート状をなすストッパ本体５１と、このストッパ本体５１における表側シート３の隅部が差し込まれる差込側の縁部５ａを裏側シート２から離間させるべく差込側の縁部５ａ近傍に形成された拡開部５３とを有するストッパ５を具備することを特徴とする。以下、ストッパ５の構成について説明する。
【００３８】
ストッパ５は、表側シート３及び裏側シート２を構成している樹脂素材とは別体に構成されたシート状をなす樹脂素材からなるものである。具体的に説明するとこのストッパ５は、表側シート３及び書類Ｐの裏側シート２に対するずれを防ぎ得るように機能するものである。このストッパ５は、本実施形態では裏側シート２に取り付けられたものであり表側シート３をカバーと裏側シート２との間に差込側の縁部５ａから差し込むことによって表側シート３及び書類Ｐの裏側シート２に対するずれを防ぎ得る。
【００３９】
ストッパ５は具体的に説明すると、正面視台形状をなすストッパ本体５１と、このストッパ本体５１の傾斜辺に該当する部分において裏側シート２に溶着された取付箇所である裏側溶着部５２と、差込側の縁部５ａ近傍においてストッパ本体５１を拡開させて裏側シート２とストッパ本体５１とを厚み方向に離間させてなる拡開部５３とを有している。そして透明シート５１は、裏面側に、表側シート３及び書類Ｐを押さえ得る押さえ面５４を有している。このストッパ５は、裏側シート２における表側シート３に対し接離可能な連続する二辺、すなわち書類ホルダ１における開放上縁１ａ及び開放側縁１ｄに亘って固定されている。そしてこのストッパ５は、書類ホルダ１における開放させた二辺の角部分に、書類Ｐを挟持した状態で裏側シート２及び表側シート３を重ねた状態で位置決めすることで、表側シート３及び書類Ｐの裏側シート２に対するずれを防ぎ得るように機能する。そして拡開部５３は、変形しろ５７を介して裏側溶着部から離間した縁部たる両端５６間を結ぶように差込側の縁部５ａに平行に延びる谷折り線５５を主体としたものである。このように変形しろ５７を介して谷折り線５５を設けることでストッパ本体５１における差込側の縁部５ａ近傍が緩やかに変形し、差込側の縁部５ａが表側シート３や書類Ｐを十分に差し込み得るまでに裏側シート２及びストッパ本体５１が離間する。
【００４０】
図６は、ストッパ５を用いて表側シート３及び書類Ｐを裏側シート２に位置決めする動作を行う途中の態様を図示したものである。ストッパ５を用いて表側シート３及び書類Ｐを位置決めする際、まず同図に示すように表側シート３を大きく撓ませることにより所定領域３４及び退避縁３２を書類ホルダ１の中心へ向けて大きく退避させ、しかる後、同図に示した状態から退避縁３２を裏側シート２から若干離間した差し込み側の縁部５ａからストッパ５の押さえ面５４より下側へもぐらせるように差込み、図５に示す状態とする。
【００４１】
そして図７はストッパ５を用いて表側シート３及び例えば２０枚程度重層させた書類Ｐをストッパ５の押さえ面５４と裏側シート２の書類支持面２１との間に挟持させた状態を示している。当該状態においては、第一角部分の第一角開放部１１が適宜変形することによってストッパ５がスムーズに表側シート３及び書類Ｐを挟み込んだ状態で書類Ｐ及び表側シート３がストッパ５によって位置決めされている。また当該第一角部分に対向する位置に位置づけられた第二角部分の第二角開放部１２においても同様の変形が起こっていることはいうまでもない。これにより、当該書類ホルダ１は多くの書類Ｐを収容する場合であってもスムーズに収容することができ、且つ、ストッパ５の作用により不意に書類Ｐが書類ホルダ１から脱落してしまうといった不具合も有効に回避されている。
【００４２】
以上のように、本実施形態に係るファイルＦを構成する書類ホルダ１は、ストッパ５が裏側シート２及び表側シート３における開放二辺に亘って設けられているためにストッパ５と裏表紙Ｈ２との間に差し込まれた書類Ｐの抜脱を有効に防ぎ得るのみならずストッパ５に設けられた拡開部５３により裏表紙Ｈ２とストッパ本体５１との間に表側シート３及び書類Ｐを容易に差し込むことができるものとなっている。その結果実施形態によれば、書類Ｐの取り扱いを良好なものとしつつ且つ書類Ｐを確実に保護し得る書類ホルダ１が実現されている。
【００４３】
そして本実施形態では拡開部５３を、ストッパ本体５１に形成された正面視における谷折り線５５とすることにより簡素な構成でストッパ５を実現せしめている。
【００４４】
また本実施形態では、谷折り線５５の縁部である両端５６を、ストッパ本体５１における裏側シート２に対する取付位置である裏側溶着部５２から変形しろ５７の寸法だけ離間した位置に位置付けているので、谷折り線５５によるストッパ本体５１の変形をより有効に促されている。
【００４５】
特に本実施形態では、対角線上に位置づけられた第一角部分及び第二角部分にそれぞれ第一角開放部１１及び第二角開放部１２を設けているので、矩形状をなす書類Ｐをより多く収容できるようになっている。加えて当該構成により、矩形状をなす書類Ｐの角部分が書類ホルダ１内で不要に突っ張ってしまうことが回避されるため、より多くの書類Ｐをスムーズに収容することができる。
【００４６】
そして、よりスムーズに表側シート３や書類Ｐのストッパ５への差し込みを行い得るようにするために本実施形態は、裏側シート２及び表側シート３が接続された溶着側縁１ｃが他のシートすなわち同形状をなす他の書類ホルダ１とともに綴じられるための綴じ基側の縁部として機能するようにして、綴じ基側が綴じられることにより書類Ｐの出し入れに際し書類ホルダ１が不意にずれたり曲がったりせず安定した状態が保持されている。
【００４７】
そして上述した書類ホルダ１が書類Ｐを好適に収容し得るファイルＦを実現するために本実施形態では、綴じ基側の縁部を、表表紙Ｈ１及び裏表紙Ｈ２を有する表紙体Ｈに取り付けられるための被取付部１ｆを有するものとしている。
【００４８】
加えて書類Ｐの閲覧性の高いものとするために本実施形態に係る書類ホルダ１は、表側シート３及び裏側シート２を、透明な樹脂性のシート素材からなるものとしている。
【００４９】
そして本実施形態に係るファイルＦによれば、上述した書類ホルダと、表表紙、裏表紙及びこれら表表紙Ｈ１及び裏表紙Ｈ２間に書類ホルダ１を綴じる綴じ部Ｈ４を有する表紙体Ｈとを具備するものであるので、綴じ部Ｈ４に綴じられた書類ホルダ１は綴じ基の縁部たる溶着側縁１ｃで表紙体Ｈと係り合っているため、表紙体Ｈと載置している机上等との摩擦、或いは紙葉類たる書類Ｐを収容したファイルＦ自体の自重により書類ホルダ１単体で取り扱うよりも裏側シート２が不要に動かずに安定して書類Ｐを裏側シート２と表側シート３との間に差し入れることが可能となる。そして勿論、裏側シート２を安定して載置させた状態で書類Ｐや表側シート３をストッパ５、裏側シート２間に差し入れることができる。
【００５０】
＜変形例＞
【００５１】
以下、本実施形態の変形例について図８〜図１１に示して説明する。当該変形例において、上記実施形態の構成要素に相当するものに対しては同じ符号を付すとともに、その詳細な説明を省略する。
【００５２】
以下、本発明の一実施形態を、図面を参照して説明する。
【００５３】
本実施形態に係る書類ホルダ１は、セキュリティホルダとも称されるものであり、図８〜図１１に示すように、収容物としての矩形状をなす紙葉類たる書類Ｐをその記載内容Ｐ１が外方から略視認し得ない状態として収容、保管するためのものである。このような書類ホルダ１を用いることにより、書類Ｐが例えば個人情報等が記載された文書であった場合でも、当該書類Ｐのヘッダ部分に記載されているマイナンバー等の識別番号を示すナンバーや捺印等の重要な情報が好適に隠蔽された状態で収容、保管することができる。
【００５４】
そして本変形例ではこの書類ホルダ１は、開放側縁１ｄの底縁１ｂよりの一定の領域に、表側シート３を構成する樹脂素材の膨出部分を裏側シート２に溶着することによって形成されたこぼれ止め１ｅと、溶着側縁１ｃに上下方向に等間隔に例えば四箇所に穿たれた開口である綴じ穴１ｈとを更に有している。このこぼれ止め１ｅを設けることにより、裏側シート２及び表側シート３に単に挟まれただけの書類Ｐであっても容易に開放側縁１ｄ側から脱落してしまうことはない。また本実施形態では、綴じ穴１ｈとして、一般的な四穴或いは二穴構造をなす綴じ具を配したバインダー等に好適に綴じられ得るように構成している。しかし当該綴じ穴１ｈの有無及びその数は、書類ホルダ１の保管態様や収容する書類Ｐの如何によって適宜の構成とし得る。例えば綴じ穴１ｈの数をさらに増加させることにより、例えばクリヤーブック替え紙と称されるようなものの如く汎用性が高い別異の態様を採ることもできる。
【００５５】
表側シート３は、裏側シート２の外形に対応した略矩形状をなすものであり、表面を不透明に構成した不透明面３１と、上記実施形態同様の退避縁３２と、こぼれ止め１ｅ近傍において概略三角形状に樹脂素材を凹ませて形成した凹部３３とを有している。本変形例ではこぼれ止め１ｅ近傍に凹部３３が形成されることで表側シート３におけるこぼれ止め１ｅ近傍の表側シート３の可撓変形が促されるとともに、使用者にとっては裏側シート２と表側シート３とを厚み方向に離間させるべく裏側シート２、表側シート３間に手指が挿入し易くなっている。そして本実施形態では、この表側シート３は、開放上縁１ａ及び開放側縁１ｄといった二辺が連続する箇所近傍を、収容しようとする書類Ｐの記載内容に対応して設定された所定領域３４としている。本変形例ではこの所定領域３４が重層される書類Ｐの一部分に、その書類Ｐの記載内容の中でも重要な部分が配されていることを想定しているからである。
【００５６】
そして本変形例に係る書類ホルダ１は裏側シート２側において表側シート３及び書類Ｐを挟み得る上記実施形態同様のストッパ５と、表側シート３側に穿たれた表出窓４とを更に有している。
【００５７】
表出窓４は、上述した表側シート３の所定箇所３４に形成された開口またはスリットの一態様である貫通孔要素４０からなるものである。
【００５８】
ストッパ５は、表側シート３及び裏側シート２を構成している樹脂素材とは別体に構成されたシート状をなす透明樹脂素材からなる点を除いては上記実施形態と略同じ態様をなすものである。
【００５９】
ここで、本変形例に係る書類ホルダ１は、開口またはスリットの一態様である表出窓４を設けることにより、表側シート３の一部を撓ませることにより貫通孔要素４０を書類Ｐに対し摺動させたときに書類Ｐの記載内容が判読され得るように構成されたものとしている。
【００６０】
以上のように本変形例のような構成のものであっても、書類ホルダ１単独として利用しても、綴じ穴１ｈを利用して綴じ具等に綴じてファイルＦとして利用しても、上記実施形態同様の作用効果を奏し得る。
【００６１】
以上、本発明の一実施形態並びに各変形例について説明したが、各部の具体的な構成は、上述した実施形態のみに限定されるものではなく、本発明の趣旨を逸脱しない範囲で種々変形が可能である。例えば上記実施形態では各開部として差し込み側の縁部と平行に延びる谷折り線を開示したが勿論、差し込み側の縁部から延びる山折り線としても良い。また拡開部は折り線に限定されることはなく、例えばストッパ本体を形成する樹脂を予め湾曲させた状態で裏側シートに溶着するようにしたり、予め湾曲変形させた樹脂を裏側シートに溶着したりしてもよい。
【００６２】
また例えば上記実施形態では専ら表表紙及び裏表紙のみを主体とした書類ホルダを開示したが勿論、表表紙と裏表紙との間に一体又は別体に構成された中仕切りを有した態様のものであっても、本発明を好適に適用し得る。また上記実施形態では綴じ基側の縁部を溶着により表紙体に取り付ける態様や綴じ穴を設けた態様を開示したが、例えば表紙体に書類ホルダ取付用のレール溝を設けておき、書類ホルダの綴じ基側の縁部には上記レール溝にスライド動作により取り付け可能なスライダを設けるようにしてもよい。
【００６３】
また、裏側シート、表側シート及びストッパのそれぞれの色彩は透明、半透明の如何は問わない。更に、カバー及び表出窓の具体的な形状や素材といったその他の詳細な構成も、本発明の趣旨を逸脱しない範囲で種々変形が可能である。
【符号の説明】
【００６４】
１・・・書類ホルダ
１ｃ・・・溶着側縁（綴じ基側の縁部）
１ｆ・・・被取付部
１ｈ・・・綴じ穴
１１・・・第一角開放部
１２・・・第二角開放部
２・・・裏側シート
３・・・表側シート
５・・・ストッパ
５ａ・・・差し込み側の縁部
５１・・・ストッパ本体
５３・・・拡開部
５５・・・谷折り線
５６・・・縁部（両端）
５７・・・変形しろ
Ｆ・・・ファイル
Ｈ・・・表紙体
Ｈ４・・・綴じ部
【図１】
2018001596.tif 000003
【図２】
2018001596.tif 000004
【図３】
2018001596.tif 000005
【図４】
2018001596.tif 000006
【図５】
2018001596.tif 000007
【図６】
2018001596.tif 000008
【図７】
2018001596.tif 000009
【図８】
2018001596.tif 000010
【図９】
2018001596.tif 000011
【図１０】
2018001596.tif 000012
【図１１】
2018001596.tif 000013